(57)【要約】【課題】免疫抗体反応によりウィルスを不活性化して死滅させるウィルス除去能力に加えて、抗体が反応するウィルスとは型の異なるウィルスに対しても不活性化効果を維持できる空気清浄装置を提供する。【解決手段】プレフィルタ２の下流側にバイオフィルタ３を配置し、バイオフィルタ３の下流側にイオン化部４と静電フィルタ５を配置する。上記静電フィルタ５の下流側に、第１,第２光半導体触媒フィルタ６,７と、その第１,第２光半導体触媒フィルタ６,７に紫外線を照射する紫外線ランプ８,９を配置する。そして、送風ファン１０によって、プレフィルタ１を介して室内から吸い込まれた空気を、バイオフィルタ３とイオン化部４と静電フィルタ５および第１,第２光半導体触媒フィルタ６,７に通過させた後に室内に吹き出す。【選択図】図１
2005342142.tif 000002
【特許請求の範囲】
【請求項１】
バイオフィルタ(３,２７)と、
光半導体触媒を担持したフィルタである除菌部(６,７,２５)とを備え、
上記バイオフィルタ(３,２７)と上記除菌部(６,７,２５)を通過する空気が清浄化されることを特徴とする空気清浄装置。
【請求項２】
請求項１に記載の空気清浄装置において、
上記バイオフィルタ(３)の上流側に配置されたプレフィルタ(２)と、
上記バイオフィルタ(３)の下流側に配置された放電部(４)と、
上記放電部(４)の下流側に配置され、上記除菌部(６,７)が含まれる集塵除菌部とを備え、
上記プレフィルタ(１)を介して室内から吸い込まれた空気を、上記バイオフィルタ(３)と上記放電部(４)と上記集塵除菌部に通過させた後に上記室内に吹き出す送風ファン(１０)を備えたことを特徴とする空気清浄装置。
【請求項３】
請求項２に記載の空気清浄装置において、
上記集塵除菌部は、上記除菌部(６,７)の上流側に集塵部(５)が配置されていることを特徴とする空気清浄装置。
【請求項４】
請求項１に記載の空気清浄装置において、
プレフィルタ(２２)と、
上記プレフィルタ(２２)の下流側に配置された放電部(２３)と、
上記放電部(２３)の下流側に配置され、上記除菌部(２５)が含まれる集塵除菌部と、
上記集塵除菌部の下流側に配置され、上記放電部(２３)で発生した活性種を除去する活性種除去部(２６)とを備え、
上記活性種除去部(２６)の下流側に上記バイオフィルタ(２７)が配置されると共に、
上記プレフィルタ(２２)を介して室内から吸い込まれた空気を、上記放電部(２３)と上記集塵除菌部と上記活性種除去部(２６)および上記バイオフィルタ(２７)に通過させた後に上記室内に吹き出す送風ファン(２８)を備えたことを特徴とする空気清浄装置。
【請求項５】
請求項４に記載の空気清浄装置において、
上記集塵除菌部は、上記除菌部(２５)の上流側に集塵部(２４)が配置されていることを特徴とする空気清浄装置。
【請求項６】
請求項２乃至５のいずれか１つに記載の空気清浄装置において、
上記除菌部(６,７)の光半導体触媒を活性化する光源部(８,９)を備えたことを特徴とする空気清浄装置。
【請求項７】
請求項４に記載の空気清浄装置において、
上記活性種除去部(２６)は、上記放電部(２３)で発生した活性種を吸着して少なくとも臭気成分に対する分解作用が活性化する触媒が担持された触媒フィルタであることを特徴とする空気清浄装置。
【請求項８】
バイオフィルタ(３)と、
上記バイオフィルタ(３)の下流側に配置され、光半導体触媒を担持したフィルタである除菌部(６,７)と、
上記除菌部(６,７)の下流側に配置され、光半導体触媒を活性化する光源部(８,９)とを備え、
上記バイオフィルタ(３)と上記除菌部(６,７)を通過する空気が清浄化されることを特徴とする空気清浄装置。
【請求項９】
請求項１乃至８のいずれか１つに記載の空気清浄装置において、
上記光半導体触媒は、光半導体触媒能を有するアパタイトであることを特徴とする空気清浄装置。
【請求項１０】
請求項１乃至９のいずれか１つに記載の空気清浄装置を用いたことを特徴とする空気調和機。
【発明の詳細な説明】
【技術分野】
【０００１】
この発明は、空気清浄装置およびそれを用いた空気調和機に関する。
【背景技術】
【０００２】
従来、空気清浄装置としては、空気中のウィルスを不活性化させるフィルタを用いたものがある。この空気清浄装置では、空気中のウィルスをフィルタに吸着させて、化学的に不活性化する技術を用いて吸着したウィルスを不活性化する。
【０００３】
しかしながら、上記空気清浄装置では、吸着によりフィルタにウィルスが一旦補足されても、乾燥すると再び空気中に放出されてしまったり、吸着している間に化学的に不活性化する技術を用いているので、不活性化するまでに時間がかかったりするため、効果的にウィルスを不活性化することができないという問題がある(なお、上記従来技術は、その技術分野において一般的に知られている周知の技術を用いたもので、本発明に関連する発明の先行技術文献を見出せず、特に先行技術文献情報を記載していない)。
【０００４】
そこで、近年、抗体を用いたバイオフィルタが提案されている。このバイオフィルタは、免疫抗体反応であるためにウィルス毎の選択性が非常に強いため、数種類の抗体の組み合わせにより作られている。上記バイオフィルタを空気清浄装置に用いた場合、例えば、インフルエンザウィルスに対して、ウィルスの型ごとに抗体を用意しても、新型のインフルエンザのような型の異なるウィルスに対して効果がないという恐れがある。
また、電気集塵方式の空気清浄装置において、このようなバイオフィルタを用いると、高電圧で帯電した活性種がバイオフィルタの抗体を壊してしまうため、バイオフィルタの性能が低下すると共に寿命が短くなるという問題がある。
なお、このバイオフィルタを用いた空気清浄装置は、この発明を理解しやすくするために説明するものであって、公知技術ではなく、従来技術ではない。
【発明の開示】
【発明が解決しようとする課題】
【０００５】
そこで、この発明の目的は、免疫抗体反応によりウィルスを不活性化して死滅させるウィルス除去能力に加えて、抗体が反応するウィルスとは型の異なるウィルスに対しても不活性化効果を維持できる空気清浄装置およびそれを用いた空気調和機を提供することにある。
さらに、この発明の目的は、高いウィルス除去能力を長期にわたって維持できる空気清浄装置およびそれを用いた空気調和機を提供することにある。
【課題を解決するための手段】
【０００６】
上記目的を達成するため、この発明の空気清浄装置は、バイオフィルタと、光半導体触媒を担持したフィルタである除菌部とを備え、上記バイオフィルタと上記除菌部を通過する空気が清浄化されることを特徴とする。ここで、「バイオフィルタ」とは、インフルエンザウィルス等のウィルスを不活性化する抗体を用いたものである。
【０００７】
上記構成の空気清浄装置によれば、バイオフィルタの免疫抗体反応によりウィルスを不活性化して死滅させることができる。また、光半導体触媒を担持したフィルタである除菌部の光半導体触媒を活性化することによって、臭気成分などを分解すると共に、抗体が反応するウィルスとは型の異なるウィルスや菌に対して長時間補足して不活性化する除菌効果がある。ここで、上記光半導体触媒を担持したフィルタである除菌部は、例えば紫外線ランプから紫外線を照射したり、プラズマ放電手段により活性種を供給したりすることにより、光半導体触媒が活性化される。したがって、免疫抗体反応によりウィルスを不活性化して死滅させるウィルス除去能力に加えて、抗体が反応するウィルスとは型の異なるウィルスに対しても不活性化効果を維持できる。
【０００８】
また、一実施形態の空気清浄装置は、上記バイオフィルタの上流側に配置されたプレフィルタと、上記バイオフィルタの下流側に配置された放電部と、上記放電部の下流側に配置され、上記除菌部が含まれる集塵除菌部とを備え、上記プレフィルタを介して室内から吸い込まれた空気を、上記バイオフィルタと上記放電部と上記集塵除菌部に通過させた後に上記室内に吹き出す送風ファンを備えたことを特徴とする。
【０００９】
上記実施形態の空気清浄装置によれば、上記送風ファンによって、プレフィルタを介して室内から空気を吸い込み、バイオフィルタと放電部および集塵除菌部を通過させた後に室内に吹き出す。このとき、上記プレフィルタによって空気中の比較的大きなサイズのゴミ等が除去された後、バイオフィルタによって、通過する空気中のウィルスなどを抗体による免疫反応により不活性化して死滅させ、さらに放電部で塵埃などを帯電させた後に集塵除菌部で静電吸着することにより、空気を清浄化する。このような空気清浄装置においてバイオフィルタが放電部の上流側に配置されているので、放電部で高電圧により発生した活性種が上流側のバイオフィルタに悪影響を及ぼすことがなく、高いウィルス除去能力を長期にわたって維持できる。
【００１０】
また、一実施形態の空気清浄装置は、上記集塵除菌部が、上記除菌部の上流側に集塵部が配置されていることを特徴とする。
【００１１】
上記実施形態の空気清浄装置によれば、上記除菌部の上流側に集塵部が配置されていることによって、除菌部に塵埃などを達せず、光半導体触媒の劣化を防止できる。
【００１２】
また、一実施形態の空気清浄装置は、プレフィルタと、上記プレフィルタの下流側に配置された放電部と、上記放電部の下流側に配置され、上記除菌部が含まれる集塵除菌部と、上記集塵除菌部の下流側に配置され、上記放電部で発生した活性種を除去する活性種除去部とを備え、上記活性種除去部の下流側に上記バイオフィルタが配置されると共に、上記プレフィルタを介して室内から吸い込まれた空気を、上記放電部と上記集塵除菌部と上記活性種除去部および上記バイオフィルタに通過させた後に上記室内に吹き出す送風ファンを備えたことを特徴とする。
【００１３】
上記実施形態の空気清浄装置によれば、上記送風ファンによって、プレフィルタを介して室内から空気を吸い込み、放電部と集塵除菌部と活性種除去部およびバイオフィルタを通過させた後に室内に吹き出す。このとき、上記放電部で塵埃などを帯電させて集塵除菌部で吸着し、さらに、バイオフィルタは、通過する空気中のウィルスなどを抗体による免疫反応により不活性化して死滅させることにより、空気を清浄化する。このような空気清浄装置において放電部とバイオフィルタとの間に活性種除去部が配置されているので、放電部で高電圧により発生した活性種が活性種除去部により除去されて、下流側のバイオフィルタに悪影響を及ぼすことがなく、高いウィルス除去能力を長期にわたって維持できる。
【００１４】
また、一実施形態の空気清浄装置は、上記集塵除菌部が、上記除菌部の上流側に集塵部が配置されていることを特徴とする。
【００１５】
上記実施形態の空気清浄装置によれば、上記除菌部の上流側に集塵部が配置されていることによって、除菌部に塵埃などを達せず、光半導体触媒の劣化を防止できる。
【００１６】
また、一実施形態の空気清浄装置は、上記除菌部の光半導体触媒を活性化する光源部を備えたことを特徴とする。
【００１７】
上記実施形態の空気清浄装置によれば、上記除菌部の光半導体触媒に、上記光源部から例えば紫外線を照射することによって、光半導体触媒を活性化して臭気成分などを分解するので、上記放電部の放電を止めているときでも、光半導体触媒を活性化できる。
【００１８】
また、一実施形態の空気清浄装置は、上記活性種除去部は、上記放電部で発生した活性種を吸着して少なくとも臭気成分に対する分解作用が活性化する触媒が担持された触媒フィルタであることを特徴とする。
【００１９】
上記実施形態の空気清浄装置によれば、上記放電部で発生した活性種を、上記活性種除去部である触媒フィルタに担持された触媒に吸着して、その触媒作用を活性化させて少なくとも臭気成分を分解するので、活性種を除去する機能と脱臭機能とを兼ね備えることができる。
【００２０】
また、この発明の空気清浄装置は、バイオフィルタと、上記バイオフィルタの下流側に配置され、光半導体触媒を担持したフィルタである除菌部と、上記除菌部の下流側に配置され、光半導体触媒を活性化する光源部とを備え、上記バイオフィルタと上記除菌部を通過する空気が清浄化されることを特徴とする。
【００２１】
上記構成の空気清浄装置によれば、バイオフィルタの免疫抗体反応によりウィルスを不活性化して死滅させることができる。また、光半導体触媒を担持したフィルタである除菌部の光半導体触媒を、光源部から例えば紫外線を照射して活性化することによって、臭気成分などを分解すると共に、抗体が反応するウィルスとは型の異なるウィルスや菌に対して長時間補足して不活性化する除菌効果がある。さらに、上記放電部の放電を止めているときでも、光半導体触媒を活性化できる。また、上記光源部が除菌部の下流側に配置されているので、除菌部の上流側のバイオフィルタに光源部からの可視光や紫外線などが当たらず、バイオフィルタに悪影響を及ぼすことがないので、高いウィルス除去能力を長期にわたって維持できる。なお、上記光源部から照射される光が波長の短い紫外線であれば、その紫外線によっても除菌できる。
【００２２】
また、一実施形態の空気清浄装置は、上記光半導体触媒は、光半導体触媒能を有するアパタイトであることを特徴とする。
【００２３】
上記実施形態の空気清浄装置によれば、光半導体触媒能を有するアパタイトを上記除菌部の光半導体触媒に用いることによって、ウィルスや細菌およびアレルゲン(ダニ、花粉等)を吸着して不活性化することができる。
【００２４】
また、この発明の空気調和機は、上記のいずれか１つの空気清浄装置を用いたことを特徴とする。
【００２５】
上記構成の空気調和機によれば、バイオフィルタによって、免疫抗体反応によりウィルスを不活性化して死滅させることができると共に、光半導体触媒フィルタによって、抗体が反応するウィルスとは型の異なるウィルスに対しても不活性化効果を維持でき、高いウィルス除去能力を備えた空気調和機を実現できる。
【発明の効果】
【００２６】
以上より明らかなように、この発明の空気清浄装置によれば、バイオフィルタによって、免疫抗体反応によりウィルスを不活性化して死滅させることができると共に、光半導体触媒を担持したフィルタである除菌部によって、抗体が反応するウィルスとは型の異なるウィルスに対しても不活性化効果を維持できる。
【００２７】
また、一実施形態の空気清浄装置によれば、バイオフィルタが放電部の上流側に配置されていることによって、放電部で高電圧により発生した活性種が上流側のバイオフィルタに悪影響を及ぼすことがなく、高いウィルス除去能力を長期にわたって維持できる空気清浄装置を実現することができる。
【００２８】
また、一実施形態の空気清浄装置は、集塵除菌部とバイオフィルタとの間に活性種除去部が配置されていることによって、放電部で高電圧により発生した活性種が上流側のバイオフィルタに悪影響を及ぼすことがなく、高いウィルス除去能力を長期にわたって維持できる空気清浄装置を実現することができる。
【００２９】
また、一実施形態の空気清浄装置によれば、集塵除菌部において除菌部の上流側に集塵部が配置されていることによって、除菌部に塵埃などを達せず、光半導体触媒の劣化を防止でき、光半導体触媒によるウィルス不活性化効果を長期間にわたって維持できる。
【００３０】
また、一実施形態の空気清浄装置は、上記除菌部の光半導体触媒を光源部により活性化することによって、上記放電部の放電を止めているときでも、光半導体触媒を活性化できる。
【００３１】
また、一実施形態の空気清浄装置は、上記放電部で発生した活性種により少なくとも臭気成分に対する分解作用が活性化する触媒が担持された触媒フィルタを上記活性種除去部に用いることによって、活性種を除去する機能と脱臭機能を兼ねることが可能となり、脱臭能力を向上できる。
【００３２】
また、この発明の空気清浄装置は、バイオフィルタによって、免疫抗体反応によりウィルスを不活性化して死滅させることができると共に、光半導体触媒を担持したフィルタである除菌部によって、抗体が反応するウィルスとは型の異なるウィルスに対しても不活性化効果を維持できる。また、上記除菌部の光半導体触媒を光源部により活性化することによって、上記放電部の放電を止めているときでも、光半導体触媒を活性化できる。したがって、免疫抗体反応によりウィルスを不活性化して死滅させるウィルス除去能力に加えて、抗体が反応するウィルスとは型の異なるウィルスに対しても不活性化効果を維持できる。
【００３３】
また、一実施形態の空気清浄装置は、光半導体触媒能を有するアパタイトを上記除菌部の光半導体触媒に用いることによって、ウィルスや細菌およびアレルゲン(ダニ、花粉等)を吸着して不活性化することができる。
【００３４】
また、この発明の空気調和機は、上記のいずれか１つの空気清浄装置を用いることによって、高いウィルス除去能力を備えた空気調和機を実現することができる。
【発明を実施するための最良の形態】
【００３５】
以下、この発明の空気清浄装置およびそれを用いた空気調和機を図示の実施の形態により詳細に説明する。
【００３６】
（第１実施形態）
図１はこの発明の第１実施形態の空気清浄装置の要部の分解図を示している。この空気清浄装置は、吸込口１aと吹出口１bが設けられたケーシング１内に、プレフィルタ２と、バイオフィルタ３と、放電部の一例としてのイオン化部４と、集塵部の一例としての静電フィルタ５と、第１光半導体触媒フィルタ６と、第２光半導体触媒フィルタ７と、光源部の一例としての紫外線ランプ８,９と、送風ファン１０とが吸込口１a側から吹出口１b側に向かって順に配置されている。上記第１,第２光半導体触媒フィルタ６,７で除菌部を構成し、静電フィルタ５と第１,第２光半導体触媒フィルタ６,７で集塵除菌部を構成している。また、上記ケーシング１内には、静電フィルタ５の交換用として複数の静電フィルタが切り離し可能にかつロール状に巻かれたロールフィルタ１１が収納されている。また、上記紫外線ランプ８,９には、目にやさしい紫外線を発光するインバータランプを用いている。なお、紫外線ランプの代わりに紫外線を放射するＬＥＤ等であってもよい。
【００３７】
また、上記バイオフィルタ３は、インフルエンザウィルスを不活性化するＩgY抗体を用いたものである。また、上記バイオフィルタ３のフィルタ繊維に調湿素材(ゼオライト,ナイロン,吸水性ポリマなど)を用いることによって、フィルタ繊維に水分を保つことが可能となり、抗体による免疫反応が活性化される。
【００３８】
また、上記イオン化部４は、通過する空気中の塵埃などをプラスに帯電させるために高電圧が印加された放電部(図示せず)を有し、そのイオン化部４でプラスに帯電した塵埃などを静電吸着するために静電フィルタ５にマイナスの電圧を印加している。
【００３９】
また、上記第１,第２光半導体触媒フィルタ６,７は、光半導体触媒能を有するアパタイトであって、紫外線の光を吸収してそのエネルギーを反応物質に与えて化学反応を起こさせる光半導体触媒の一例としての酸化チタン(または酸化亜鉛や酸化タングステンなど)が塗布されたフィルタである。
【００４０】
なお、光半導体触媒は、紫外線に限らず、可視光を吸収してそのエネルギーを反応物質に与えて化学反応を起こさせる可視光光触媒であってもよい。
【００４１】
上記構成の空気清浄装置において、送風ファン１０によりプレフィルタ２を介して吸い込まれた室内の空気は、バイオフィルタ３,イオン化部４,静電フィルタ５および第１,第２光半導体触媒フィルタ６,７を介して室内に吹き出す。このとき、まず、プレフィルタ２によって空気中の比較的大きなサイズのゴミ等が除去された後、バイオフィルタ３で抗体による免疫反応によりインフルエンザウィルスなどを不活性化して死滅させる。そして、次のイオン化部４で、通過する空気中の塵埃などを高電圧によりプラスに帯電させて、プラスに帯電した塵埃などを静電フィルタ５により吸着する。次に、上記第１,第２光半導体触媒フィルタ６,７は、紫外線ランプ８,９からの紫外線を受けて、塗布された光半導体触媒が活性化し、臭気成分などが分解される。
【００４２】
このように、上記構成の空気清浄装置によれば、バイオフィルタ３によって、免疫抗体反応によりウィルスを不活性化して死滅させることができると共に、第１,第２光半導体触媒フィルタ６,７に紫外線ランプ８,９から紫外線を照射することによって、第１,第２光半導体触媒フィルタ６,７の光半導体触媒を活性化して臭気成分などを分解する。さらに、上記第１,第２光半導体触媒フィルタ６,７の光半導体触媒によって、抗体が反応するウィルスとは型の異なるウィルスや菌に対して長時間補足して不活性化する除菌効果がある。
【００４３】
また、上記送風ファン１０によって、プレフィルタ２を介して室内から空気を吸い込み、バイオフィルタ３とイオン化部４および静電フィルタ５を通過させた後に室内に吹き出すとき、バイオフィルタ３がイオン化部４の上流側に配置されているので、イオン化部４で高電圧により発生した活性種が上流側のバイオフィルタ３に悪影響を及ぼすことがなく、高いウィルス除去能力を長期にわたって維持することができる。
【００４４】
また、上記バイオフィルタ３と紫外線ランプ８,９との間に配置されたイオン化部４と静電フィルタ５により紫外線が遮られてバイオフィルタ３に到達しないので、紫外線ランプ８,９から照射させる紫外線がバイオフィルタ３に悪影響を及ぼすことがなく、第１,第２光半導体触媒フィルタ６,７により臭気成分などを分解する能力を有すると共に、高いウィルス除去能力を長期にわたって維持できる空気清浄装置を実現することができる。
【００４５】
また、上記紫外線ランプ８,９が第１,第２光半導体触媒フィルタ６,７の下流側に配置されていることによって、バイオフィルタ３と紫外線ランプ８,９との間に配置された第１,第２光半導体触媒フィルタ６,７とイオン化部４および静電フィルタ５の３重構造により紫外線をより効果的に遮ることができる。
【００４６】
（第２実施形態）
図２はこの発明の第２実施形態の空気清浄装置の要部の分解図を示している。この空気清浄装置は、吸込口２１aと吹出口２１bが設けられたケーシング２１内に、プレフィルタ２２と、放電部の一例としての放電ユニット２３と、集塵部の一例としての静電フィルタ２４と、光半導体触媒が担持されたフィルタである除菌部の一例としての第１触媒フィルタ２５と、活性種除去部の一例としての第２触媒フィルタ２６と、バイオフィルタ２７と、送風ファン２８とが吸込口２１a側から吹出口２１b側に向かって順に配置されている。上記静電フィルタ２４と第１触媒フィルタ２５で集塵除菌部を構成している。また、上記ケーシング１内には、静電フィルタ２４の交換用として複数の静電フィルタが切り離し可能にかつ折りたたまれたフィルタ２９が収納されている。この第２実施形態の空気清浄装置では、紫外線ランプを用いていない。上記放電ユニット２３は、電気集塵のためのイオン化部と、光半導体触媒による脱臭のためのプラズマ放電部とを有している。なお、上記放電ユニット２３では、イオン化部の電極よりも下流側にプラズマ放電部の電極を配置し、それぞれ異なる電極を用いたが、イオン化部とプラズマ放電部を同一の電極により兼ねてもよい。
【００４７】
上記静電フィルタ２４と第１触媒フィルタ２５および第２触媒フィルタ２６は、シートが蛇腹式に折り曲げられたプリーツ形状をしている。上記第１触媒フィルタ２５は、後述する放電ユニット２３のプラズマ放電部で発生した活性種のエネルギーを反応物質に与えて化学反応を起こさせる光半導体触媒の一例としての酸化チタン(または酸化亜鉛や酸化タングステンなど)が、通気性を有する不織布シートに塗布されたフィルタである。上記光半導体触媒は、臭気成分や汚染物質を分解する機能や、微生物の殺菌なウィルスの不活性化を行う機能を有する。
【００４８】
また、上記第２触媒フィルタ２６は、後述する放電ユニット２３のプラズマ放電部で発生した活性種のエネルギーを反応物質に与えて化学反応を起こさせる触媒の一例としてのマンガン系触媒(ＭnやＭn酸化物など)が、通気性を有する不織布シートに塗布されたフィルタである。この第２触媒フィルタ２６のマンガン系触媒の表面に活性種が吸着して、臭気成分や有害物質などを分解すると共に、活性種が除去される。
【００４９】
また、上記バイオフィルタ２７は、インフルエンザウィルスを不活性化するＩgY抗体を用いたものである。また、上記バイオフィルタ２７のフィルタ繊維に調湿素材(ゼオライト,ナイロン,吸水性ポリマなど)を用いることによって、フィルタ繊維に水分を保つことが可能となり、抗体による免疫反応が活性化される。
【００５０】
また、上記放電ユニット２３のイオン化部の電極は、通過する空気中の塵埃などをプラスに帯電させるために高電圧に印加され、その放電ユニット２３のイオン化部でプラスに帯電した塵埃などを吸着するために静電フィルタ２４にマイナスの電圧を印加している。上記放電ユニット２３のプラズマ放電部により低温プラズマが生成され、それによって、高速電子、イオン、オゾン、ヒドロキシラジカルなどのラジカルや、その他の励起分子(酸素分子、窒素分子、水分子など)の活性種を発生させる。
【００５１】
上記構成の空気清浄装置において、送風ファン２８によりプレフィルタ２２を介して吸い込まれた室内の空気は、放電ユニット２３,静電フィルタ２４,第１,第２触媒フィルタ２５,２６およびバイオフィルタ２７を介して室内に吹き出す。このとき、まず、プレフィルタ２２によって空気中の比較的大きなサイズのゴミ等が除去された後、放電ユニット２３のイオン化部で、通過する空気中の塵埃などを高電圧によりプラスに帯電させて、プラスに帯電した塵埃などを静電フィルタ２４により吸着する。次に、上記第１触媒フィルタ２５は、放電ユニット２３のプラズマ放電部で発生した活性種によって光半導体触媒(酸化チタン)が活性化し、臭気成分などを分解する。そして、次の第２触媒フィルタ２６では、放電ユニット２３のプラズマ放電部で発生した活性種がマンガン系触媒の表面に吸着し、その吸着した活性種のエネルギーを利用した触媒作用により臭気成分などを分解する。その後、上記バイオフィルタ２７で抗体による免疫反応によりインフルエンザウィルスなどを不活性化して死滅させる。
【００５２】
このように、上記構成の空気清浄装置によれば、バイオフィルタ２７の免疫抗体反応によりウィルスを不活性化して死滅させることができると共に、第１触媒フィルタ２５に紫外線ランプ８,９から紫外線を照射することによって、第１触媒フィルタ２５の光半導体触媒を活性化して臭気成分などを分解する。さらに、上記第１触媒フィルタ２５の光半導体触媒によって、抗体が反応するウィルスとは型の異なるウィルスや菌に対して長時間補足して不活性化する除菌効果がある。
【００５３】
また、上記送風ファン２８によって、プレフィルタ２２を介して室内から空気を吸い込み、放電ユニット２３と静電フィルタ２４と第１触媒フィルタ２５と第２触媒フィルタ２６およびバイオフィルタ２７を通過させた後に室内に吹き出すとき、静電フィルタ２４とバイオフィルタ２７との間に配置された第２触媒フィルタ２６によって、放電ユニット２３のプラズマ放電部で高電圧により発生した活性種が除去されて下流側のバイオフィルタ２７に悪影響を及ぼすことがなく、高いウィルス除去能力を長期にわたって維持することができる。
【００５４】
また、上記放電ユニット２３のプラズマ放電部で発生した活性種が下流側に配置された第１触媒フィルタ２５に供給されても、静電フィルタ２４とバイオフィルタ２７との間に配置された第１,第２触媒フィルタ２５,２６の２重構造により活性種が除去されてバイオフィルタ２７に到達しないので、放電ユニット２３のプラズマ放電部からの活性種がバイオフィルタ３に悪影響を及ぼすことがなく、第１,第２触媒フィルタ２５,２６により高い脱臭能力を備えると共に、高いウィルス除去能力を長期にわたって維持できる空気清浄装置を実現することができる。
【００５５】
上記第１,第２実施形態では、電気集塵方式の空気清浄装置について説明したが、電気集塵方式の空気清浄機能を有する空気調和機などにこの発明の空気清浄装置を適用してもよい。
【００５６】
また、上記第１,第２実施形態では、インフルエンザウィルスを不活性化するＩgY抗体を用いたバイオフィルタ３,２７を備えた空気清浄装置について説明したが、バイオフィルタは、これに限らず、免疫反応を利用してウィルスを不活性化する抗体を用いたものであればよい。
【００５７】
また、上記第１,第２実施形態では、集塵除菌部は、除菌部の上流側に集塵部が配置されていたが、除菌部の下流側に集塵部が配置されていてもよい。
【図面の簡単な説明】
【００５８】
【図１】図１はこの発明の第１実施形態の空気清浄装置の要部の分解斜視図である。
【図２】図２はこの発明の第２実施形態の空気清浄装置の要部の分解斜視図である。
【符号の説明】
【００５９】
１…ケーシング
１a…吸込口
１b…吹出口
２…プレフィルタ
３…バイオフィルタ
４…イオン化部
５…静電フィルタ
６…第１光半導体触媒フィルタ
７…第２光半導体触媒フィルタ
８,９…紫外線ランプ
１０…送風ファン
２１…ケーシング
２１a…吸込口
２１b…吹出口
２２…プレフィルタ
２３…放電ユニット
２４…静電フィルタ
２５…第１触媒フィルタ
２６…第２触媒フィルタ
２７…バイオフィルタ
２８…送風ファン
【図１】
2005342142.tif 000003
【図２】
2005342142.tif 000004